(57)【要約】【課題】メモ類が大きくなったり、厚くなったり、枚数が多くなるなどにより重くなっても、あるいはディスプレイ装置（液晶ディスプレイ装置等）の奥行きが変わっても、それらメモ類をディスプレイ装置上で、容易に且つ安定に起立保持可能とする。【解決手段】ディスプレイ装置（液晶ディスプレイ装置１２など）の上部に載置されるメモスタンド１０であって、メモ類が差し込まれることで該メモ類を起立保持すると共に前方側の重りとしての機能を有するメモ受け２０と、背後側の重りとしての機能を有する後方バランサ２２と、それらメモ受けと後方バランサとの間を繋ぎディスプレイ装置の上面に載る屈曲自在の連結部２４とを具備している。【選択図】図１
2008279740.tif 000002
【特許請求の範囲】
【請求項１】
ディスプレイ装置の上部に載置するメモスタンドであって、メモ類が差し込まれることで該メモ類を起立保持すると共に前方側の重りとしての機能を有するメモ受けと、背後側の重りとしての機能を有する後方バランサと、それらメモ受けと後方バランサとの間を繋ぎディスプレイ装置の上面に載る屈曲自在の連結部とを具備していることを特徴とするメモスタンド。
【請求項２】
メモ受けは、メモ類の下縁近傍部が差し込まれる横長形状のメモ受け本体から水平後方に板状延長部が張り出す構造であり、連結部は、柔軟な材料からなる連結シートであって、その少なくとも前方端近傍部下面が滑り止め機能を有する素材からなり、該連結シートの前方端近傍部が前記板状延長部の下面に固着され、後方バランサは金属製の柱状体で、前記連結シートの後方端近傍部が前記後方バランサに固着されている請求項１記載のメモスタンド。
【請求項３】
メモ受けは、底板部と後板部と板状延長部とが連続するように折れ曲がったクランク形状のベース板と、前記底板部の上に前記後板部に対して隙間が開くように固定した前板部とからなり、それらのうちの少なくとも前記前板部は金属製の四角柱状体であって、前板部と底板部と後板部によってメモ類の下縁近傍部が差し込まれる受け溝が形成されている請求項２記載のメモスタンド。
【請求項４】
メモ受け本体は、横長の箱形状をなし、その後板部に対して上板部と両側板部は隙間が開くように位置し、その箱内部に複数の金属球が一列に収容されていて、前記隙間に差し込まれたメモ類の下縁近傍部が金属球で押さえられる構造をなしている請求項２記載のメモスタンド。
【請求項５】
メモ受けは、上板部、前板部、底板部、後板部、及び板状延長部が連続するように折れ曲がった形状の外側成形体と、中央で切り離された上半板部、両側板部、細幅で前方寄りに位置する底連結部が連続するように折れ曲がった形状の内側成形体と、複数の金属球とからなり、前記外側成形体内に内側成形体を挿入することで横長の箱形状となり、その内部に金属球が収容されるようにした請求項４記載のメモスタンド。
【請求項６】
メモ受けは、上板部、前板部、両側板部、底板部、後板部、及び板状延長部からなり、前記上板部、前板部、両側板部、底板部、及び後板部によって横長の箱形状となる外殻部材と、その箱内部に収容される複数の金属球とからなり、前記外殻部材は２分割構造となる成形体の組み合わせであって、両成形体を嵌合させることで箱形状が形成されるようにした請求項４記載のメモスタンド。
【発明の詳細な説明】
【技術分野】
【０００１】
本発明は、ディスプレイ装置の上部に載置してメモ類を起立保持するためのメモスタンドに関し、更に詳しく述べると、メモ類が差し込まれることで該メモ類を起立保持すると共に前方側の重りとしての機能を有するメモ受けと、背後側の重りとしての機能を有する後方バランサと、それらメモ受けと後方バランサとの間を繋ぎディスプレイ装置の上面に載る屈曲自在の連結部とを具備しているメモスタンドに関するものである。このメモスタンドは、連結部の一部がディスプレイ装置の上面に載り、メモ受けと後方バランサが前後振り分け方式で均衡静止する状態で使用するものであり、メモ類（例えば、メモ用紙やカレンダ、予定表、写真、郵便葉書、表示カードなどを含む様々な様式のシート類）を、例えばパーソナルコンピュータ（以下、「パソコン」と略記する）の液晶ディスプレイ装置上で起立状態で掲示しておくのに有用な事務用品である。
【背景技術】
【０００２】
周知のように、最近のデスクトップ型パソコンには専ら液晶ディスプレイ装置が採用されている。これらパソコンを使用する事務作業では、液晶画面の近くに、各種のメモ用紙やカレンダ、予定表などを掲示しておきたい場合も多い。勿論、ソフトウエアにより液晶画面自体にそれら必要な情報を表示させておくことは可能であるが、メモや情報、予定などを直接筆記具で書き込める点で、メモ類（紙）の利便性は高い。
【０００３】
ところで、値札などのような比較的小さなカードを起立保持する事務用品としては、例えば特許文献１に開示されているようなカードホルダがある。このカードホルダは、カード差し込み部から後方へ延びる水平板状部（商品棚の前端部上面に載る部分）の下面に、再剥離性両面粘着シートや上下両面吸盤を設けることで、カードホルダを商品棚に載置固定する構造である。
【０００４】
そこで、このような構造のカードホルダを液晶ディスプレイ装置の上部に載置固定し、メモスタンドとして使用することが考えられる。しかし、前述のように、最近のディスプレイ装置は非常に薄く、平坦な部分が少ないため、前記のような再剥離性両面粘着シートや上下両面吸盤では十分に固定できない場合が多い。また、たとえ載置できたとしても、メモ類の大きさ、厚み、枚数などは様々であり、それらの条件によって重くなることがあると、そのために不安定になって、メモ類保持の機能が果たせない場合も生じる。
【０００５】
また、メモスタンドを液晶ディスプレイ装置の上部に挟み込むことで固定することも考えられるが、液晶ディスプレイ装置の奥行き寸法は機種によって様々であり、広範囲にわたって変化する可能性のある奥行き寸法に対応することは困難である。また、液晶画面の周囲の枠状部分の幅も、非常に狭くなっており、液晶画面が隠れないように載置する工夫も必要である。更には、液晶ディスプレイ装置を傷付けず、且つ容易に着脱できるようにすることも重要である。
【特許文献１】特開２００４−８５７１２号公報
【発明の開示】
【発明が解決しようとする課題】
【０００６】
本発明が解決しようとする課題は、メモ類が大きくなったり、厚くなったり、枚数が多くなるなどして重くなっても、あるいはディスプレイ装置（液晶ディスプレイ装置など）の奥行きが変わっても、それらメモ類をディスプレイ装置上で、容易に且つ安定に起立保持できるようにすることである。
【課題を解決するための手段】
【０００７】
本発明は、ディスプレイ装置の上部に載置するメモスタンドであって、メモ類が差し込まれることで該メモ類を起立保持すると共に前方側の重りとしての機能を有するメモ受けと、背後側の重りとしての機能を有する後方バランサと、それらメモ受けと後方バランサとの間を繋ぎディスプレイ装置の上面に載る屈曲自在の連結部とを具備していることを特徴とするメモスタンドである。
【０００８】
なお、本発明において「メモ類」とは、大きさ、厚み、紙や樹脂シートなどの材質、枚数、綴じられているか否か、印刷物であるか否か、表示されている情報の種類、などを問わず、一般にシート状もしくは板状と見なせるものの総称というような広い意味で用いている。また、「ディスプレイ装置」は、主にデスクトップ型パソコンの液晶ディスプレイ装置を意図しているが、ノート型パソコンの液晶ディスプレイ部分、薄型ＴＶ装置などは無論のこと、液晶に限らず様々な表示方式のディスプレイ装置なども含まれる。
【０００９】
ここでメモ受けは、メモ類の下縁近傍部が差し込まれる横長形状のメモ受け本体から水平後方に板状延長部が張り出す構造であり、連結部は、柔軟な材料からなる連結シートであって、その少なくとも前方端近傍部下面が滑り止め機能を有する摩擦係数の大きな素材（例えばゴム系もしくは樹脂系など）からなり、該連結シートの前方端近傍部が前記板状延長部の下面に固着され、後方バランサは金属製の柱状体で、前記連結シートの後方端近傍部が前記後方バランサに固着されている構造が好ましい。
【００１０】
前記メモ受けは、最も簡単な構造としては、底板部と後板部と板状延長部とが連続するように折れ曲がったクランク形状のベース板と、前記底板部の上に前記後板部に対して隙間が開くように固定した前板部とからなり、それらのうちの少なくとも前記前板部は金属製の四角柱状体であって、前板部と底板部と後板部によってメモ類の下縁近傍部が差し込まれる受け溝が形成されている構造がある。
【００１１】
より好ましくは、メモ受け本体を横長の箱形状とし、その後板部に対して上板部と両側板部は隙間が開くようにし、その箱内部に複数の金属球が一列に収容されていて、前記隙間に差し込まれたメモ類の下縁近傍部が金属球で押さえられる構造とする。その場合、メモ受けを、上板部、前板部、底板部、後板部、及び板状延長部が連続するように折れ曲がった形状の外側成形体と、中央で切り離された上半板部、両側板部、細幅で前方寄りに位置する底連結部が連続するように折れ曲がった形状の内側成形体と、複数の金属球とで構成し、前記外側成形体内に内側成形体を挿入することで横長の箱形状となり、その内部に金属球が収容されるようにするのがよい。
【００１２】
あるいは、メモ受けは、上板部、前板部、両側板部、底板部、後板部、及び板状延長部からなり、前記上板部、前板部、両側板部、底板部、及び後板部によって横長の箱形状となる外殻部材と、その箱内部に収容される複数の金属球とからなり、前記外殻部材は２分割構造となる成形体の組み合わせであって、両成形体を嵌合させることで箱形状が形成されるような構造としてもよい。
【発明の効果】
【００１３】
本発明に係るメモスタンドは、前方のメモ受けと後方バランサとがディスプレイ装置の前後で振り分けられ均衡し、しかもメモスタンド全体の重心がディスプレイ装置の上面よりも下方に位置するので、メモ受けに大きな重いメモ類を差し込んでも、所定の位置からずれることなく、差し込まれたメモ類を安定に起立保持できる。なお、メモ受けと後方バランサとの間が屈曲自在の連結部で繋がれているため、様々な奥行きのディスプレイ装置に自在に対応できる。
【００１４】
柔軟な材料からなる連結シートの少なくとも前方端近傍部下面を、滑り止め機能を有する素材で構成すると、ディスプレイ装置上での位置ずれが、より一層生じ難くなる。特に、メモ受け本体を、横長の箱形状で、その後板に対して上板と両側板は隙間が開くようにし、内部に複数の金属球が一列に収容されていて、メモ類の下縁近傍部が前記隙間に差し込まれ金属球で押さえられる構造にすると、安価に製作できるばかりでなく、厚みの異なるメモ類でも確実に、安定に起立保持することができる。
【実施例】
【００１５】
図１は本発明に係るメモスタンドの一実施例を示す説明図であり、Ａは斜視図を、Ｂ及びＣは、それぞれ使用状態での側面図と正面図を示している。このメモスタンド１０は、主として、デスクトップ型パソコンの液晶ディスプレイ装置１２の上部に載置され、その状態でメモ類（メモ用紙など）１４を起立保持するために用いられる。メモスタンド１０は、メモ類を起立保持すると共に前方側の重りとしての機能を有するメモ受け２０と、背後側の重りとしての機能を有する後方バランサ２２と、それらメモ受け２０と後方バランサ２２との間を繋ぐ屈曲自在の連結部２４からなる。
【００１６】
メモ受け２０は、メモ類１４の下縁近傍部が受け溝に差し込まれることでメモ類１４を起立保持する横長形状のメモ受け本体２６を備えている。ここではメモ受け本体２６は、前板部２８を低く且つ厚くし、後板部３０を高く且つ薄い形状にしてある。そのメモ受け本体２６の後板部３０の上端から水平後方に向けて板状延長部３２を張り出させる。典型的な例は、メモ受け２０全体を金属製とすることであるが、材質や形状、組み立て方などは自由に変更できる。金属製とする場合、ステンレス鋼製や真鍮製など錆び難い材料を用いるのが好ましいが、それらに限られるものではない。必要に応じて防錆コーティングを施すことによって対応することもできるからである。
【００１７】
この実施例では、メモ受け２０は、前板部２８となる四角柱状体と、底板部３４と後板部３０と板状延長部３２とが連続するように折れ曲がったクランク形状のベース板との組み合わせとし、前板部２８と後板部３０との間に隙間が生じ、それによって受け溝が形成されるような状態で前板部２８と底板部３４を接合することで容易に製作できる。このように複数の部材の組み合わせにすると、必要な物理的性質をもつ素材を適材適所で使用できる。また、このような構造は、ベース板については金属板を曲げ加工するだけで済むので、製作は容易である。なお、全体あるいは少なくとも前板部２８を金属製にすると、別に重りを取り付けなくても、それ自体で十分に前方側の重りとしての機能を果たすことができる。もし、重りの機能が不足する場合には、別途重りを取り付けてもよい。
【００１８】
背後側の重りとしての機能を有する後方バランサ２２としては、例えば金属製の棒状体が好ましい。この実施例では円柱体を用い、その長さをメモ受け２０の幅寸法と同程度としているが、形状などは任意であってよい。例えば、任意の多角柱体などでもよい。この後方バランサ２２の重量は、メモ受け２０と釣り合うように同程度とするのがよい。
【００１９】
屈曲自在の連結部２４は、柔軟性のある帯状の連結シートであり、ゴム系や樹脂系の素材からなるシート、あるいは布など自由変形できる比較的薄い素材の中から任意に選んで使用できる。但し、後方バランサ２２の重さに対して過度に伸びることなく、保持できる強度が必要である。特に、表面は滑り止め性のある（摩擦係数の大きな）軟質ゴム系あるいは軟質樹脂系の素材が好ましい。ここでは連結部２４は、その幅がメモ受け２０の板状延長部３２の幅とほぼ等しく、前方端近傍部がメモ受け２０の板状延長部３２の下面に接着され、後方端近傍部で後方バランサ２２である円柱体に一巻きするように取り付けられている。連結部２４の素材自体が滑り止め性に乏しい場合は、基材の表面に滑り止め性能の高い素材をコーティングした構造も有効である。滑り止め性のある素材シートを連結部の少なくとも前方端近傍部の下面に貼着する構成でもよい。連結部２４は、平坦なシートのみならず、メッシュ状の穴あきシート、表面に凹凸のあるシートなどでもよい。また、柔軟ではあるが強靱な素材と高摩擦係数のゴム系素材との層構造なども有効である。
【００２０】
このようなメモスタンド１０は、図１のＢに示すように、連結部２４の少なくとも一部（前方の板状延長部３２の部分）が液晶ディスプレイ装置１２の上面に載り、メモ受け２０と後方バランサ２２とが前後で振り分けられて均衡し、しかもメモスタンド全体の重心が液晶ディスプレイ装置１２の上面よりも下方に位置する状態で載置される。言い換えると、メモ受け２０の後板部３０が液晶ディスプレイ装置１２の前面の上方枠部に当接し、板状延長部３２の下面の連結部部分が液晶ディスプレイ装置１２の上面に接し、後方バランサ２２が垂れ下がる状態となる。その状態で、メモ類１４の下縁近傍部をメモ受け本体２６に差し込むことで、該メモ類１４は起立保持される。
【００２１】
従って、メモ受け２０の後板部３０の高さは液晶ディスプレイ装置１２の前面の上方枠部の幅と同程度以下となるように、連結部２４の長さは液晶ディスプレイ装置１２の奥行き寸法より長くなるように設計する。一般的に、連結部２４の長さは、数ｃｍ〜十数ｃｍ程度でよい。メモ受け本体２６の幅、受け溝の深さや幅などは、適宜決定してよいが、保持したい最も大きな最も厚いメモ類を想定して、それに対応できる寸法とする。
【００２２】
このような構造にすると、前記のように、メモスタンド１０を単に液晶ディスプレイ装置１２の上に載せるだけで、メモ受け２０が液晶ディスプレイ装置１２の前上部に引っ掛かり、メモ受け２０と後方バランサ２２とが液晶ディスプレイ装置１２の前後で振り分けられて均衡し、メモスタンド全体の重心が下方に位置する状態となるので、メモ受け２０の受け溝に多少重いメモ類１４を差し込んでも、メモ受け２０は所定の位置からずり落ちることはなくメモ類１４を定位置で安定に保持できる。しかも、パソコン操作者は、視線を大きく動かすことなく、液晶画面とほぼ同じ視野の中で起立保持されているメモ類を見ることができる。なお、メモ受け２０と後方バランサ２２との間は屈曲自在の連結部２４で繋がれているため、様々な奥行きの液晶ディスプレイ装置１２に適用できる。
【００２３】
図２は、本発明に係るメモスタンドの他の実施例を示を示す説明図であり、Ａは斜視図を、Ｂ及びＣは、それぞれ使用状態での側面図と正面図を示している。メモ受け本体を除けば、基本的な構成は図１と同様であるので、説明を簡略化するため、対応する部分には同一符号を付す。この実施例では、メモ受け本体４０は、横長の箱形状をなし、その後板部４２に対して上板部４４と両側板部４６は隙間が開くように位置し、その箱内部に多数（ここでは５個）の金属球（例えば鋼球）４８が一列に収容されていて、前記隙間に差し込まれるメモ類１４の下縁近傍部が金属球４８で押さえられる構造である。なお、板状延長部３２は、メモ受け本体４０の後板部４２の上縁から後方に張り出している。また、ここでも後板部４２の高さを前板部５０の高さよりも高くすることで、メモ類１４を挿入し易くしてある。
【００２４】
メモ受けの詳細構造を図３に示す。Ａはその分解斜視図であり、Ｂは内部構造を示す側断面図である。この実施例では、メモ受けは、上板部４４、前板部５０、底板部５２、後板部４２、板状延長部３２が連続するように折れ曲がった外側成形体５４と、中央で切り離された上半板部５６、両側板部４６、細幅で前方寄りに位置する底連結部５８が連続するように折れ曲がった内側成形体６０と、多数の金属球４８とで構成されている。外側成形体５４は、やや厚めの（例えば厚さ１ｍｍ程度）のステンレス鋼板からなり、前板部５０に対して後板部４２がやや高く、底板部５２に対して上板部４４がやや幅狭に（その差がメモ類を差し込むための隙間となる）設定されている。他方、内側成形体６０は、やや薄めの（例えば０．５ｍｍ程度）のステンレス鋼板からなる。ここで、両方の上半板部５６と両側板部４６の幅は、外側成形体５４の上板部４４の内幅にほぼ等しい。底連結部５８の両端部は後方寄りに突出するような広幅部分６２が形成されており、その広幅部分６２の幅は、外側成形体５４の底板部５２の内幅にほぼ等しい。また、底連結部５８の長さは、外側成形体５０の長さにほぼ等しい。これによって、内側成形体６０は外側成形体５０内に丁度挿入可能な関係となる。なお、前記広幅部分６２は幅方向のズレ防止の機能を果たす。
【００２５】
外側成形体５４内に内側成形体６０を挿入することで横長の箱形状となり、その内部に金属球４８を一列に収容できる。ここで内側成形体６０の両方の上半板部５６の先端が予め若干上向きとなるように加工しておくと、内側成形体６０は、その両方の上半板部５６のバネ弾性により外側成形体５４内で保持され、金属球４８を閉じ込めた状態とすることができる。このとき、各金属球４８は、メモ受け本体の長さ方向には殆ど動けないが、幅方向にはある程度自由に動ける状態となる。外側成形体５４と内側成形体６０とは接着や溶接などで固着してもよいが、上記のようにバネ弾性だけでも十分な保持は可能である。
【００２６】
ところで図３のＢに示すように、この実施例では、内側成形体６０の底連結部５８は、その幅が金属球４８の半径未満となるように細く設定されている。このような寸法関係にすると、メモ受けが、たとえ水平に置かれた場合でも、金属球４８は底連結部５８上に止まる（点線で示す位置）ことができず、自重による矢印の方向への力が作用し、後方へ落ちようとする（実線で示す位置）。これによって、メモ類が薄ければ該メモ類を差し込む隙間が狭まり、メモ類が厚ければ該メモ類を金属球が強制的に押さえ付けることになる。本発明のメモスタンドをパソコンの液晶ディスプレイ装置の上に載置する場合は、図２のＢに示すように、やや後傾となるので、各金属球は後寄りに移動するため、たとえメモ類が薄けくても該メモ類は金属球で強制的に押さえ付けられ、後板部との間で挟まれてしっかりと保持されることになる。
【００２７】
外側成形体と内側成形体は合成樹脂素材からなる成型品でもよいが、外側成形体を樹脂製とした場合も、内側成形体は金属製とするのが好ましい。内部に入れる金属球は４〜６個程度がよいが、メモ受けの幅を広げたい場合にはもっと多く、例えば８〜１２個程度収容するようにしてもよい。鋼球は安価であるため、この構造は安価に製造できる利点がある。また上記のように、メモ類の厚みの変化にも対応しやすい特徴もある。これらのことから、図２に示す例は構造的には多少複雑に見えるものの、コスト面並びに使用し易さなどの面では好ましい構成である。
【００２８】
メモ受けは、上板部、前板部、両側板部、底板部、後板部、及び板状延長部からなり、前記上板部、前板部、両側板部、底板部、及び後板部によって横長の箱形状となる外殻部材と、その箱内部に収容される複数の金属球とからなり、前記外殻部材は２分割構造となる成形体の組み合わせであって、両成形体を嵌合させることで箱形状が形成されるようにしてもよい。ここで外殻部材の２分割の仕方は任意である。内部に金属球を収容して閉じることができればよい。例えば、一方の側板面を嵌め込むようにしてもよいし、上板面を嵌め込むようにしてもよい。このような２分割構造の外殻部材は、金属製でもよいが、合成樹脂素材に適している。
【００２９】
そのようなメモ受けの例を図４に示す。Ａはその分解斜視図であり、Ｂは内部構造を示す側断面図である。この例では、メモ受けは、前板部５０、底板部５２、後板部４２、板状延長部３２が連続するように折れ曲がった下側成形体６６と、上板部４４と両側板部４６が連続するように折れ曲がった上側成形体６８と、多数の金属球４８とで構成されている。底板部５２は、前方を厚肉とし後方を薄肉として内面がやや後下がりとなるようになっている。下側成形体６６と上側成形体６８は、爪と凹み、突起と穴などの係合手段（図示するのを省略）により嵌合するように設計する。これら下側成形体６６及び上側成形体６８としては樹脂成形体が好ましい。このようにすると、図４のＢに示すように、底板部５２の内面が若干後下がりの傾斜面になっているので、メモ受けを、たとえ水平に置いた場合でも、金属球４８は自重により後方へ落ちようとし、これによって、メモ類が薄くても厚くても該メモ類を金属球が強制的に押さえ付けることになる。
【００３０】
図５は、本発明に係るメモスタンドの一つの応用例であり、Ａは正面を、Ｂは側面を、それぞれ表している。メモスタンド７０自体は、基本的には、図２に示す構造とほぼ同様である。ここでは、メモ受けの底板部５２の後寄りの位置にスリット７２を形成する（実際には、後工程における折り曲げ加工のし易さから、底板部５２の後寄りの位置から後板部４２の下寄りの位置にかけて細長い切欠きを設けている）。このスリット７２は、大判（例えばＡ４判など）のメモ類（原稿など）を掲示するための支持板７４の立設に使用する。なお、メモ受けは、図１や図４のような構成でもよいことは言うまでもない。支持板７４は、下部が後板部４２よりも若干小さめの横長で、上部は狭幅で必要な長さの縦長であり、最下端には前記スリット７２に入り込む突出縁７６が形成されている板状部材である。
【００３１】
大判のメモ類（特に薄紙の原稿など）を掲示する場合には、支持板７４をメモ受けに取り付ける。支持板７４の最下端の突出縁７６をメモ受けの底板部５２のスリット７２に差し込むと、支持板７４の横長部分はメモ受け本体内に収まり、縦長部分でメモ類を背後から支える。メモ類の下縁近傍部及び支持板７４の横長部分は、金属球４８と後板部４２とで挟まれ、両方とも安定に起立保持されることになる。
【００３２】
図６は、本発明に係るメモスタンドの他の応用例を示しており、Ａは側面を表し、Ｂは正面を表している。ここでもメモスタンド７０自体は、基本的には、図２に示す構造とほぼ同様である。この例では、メモ受けの後板部４２の背面ほぼ全面に平板状のゴム磁石７８を貼着してある。なお、メモ受けは、図１や図４、図５のような構成でもよいことは言うまでもない。
【００３３】
ゴム磁石７８の磁気的付着力を利用すると、軟磁性金属板を介して、更にメモホルダ８０を取り付けることができる。メモホルダ８０は、特公昭５９−４４２３６号公報に記載されているような、取り付け板と金属球とでメモを挟んで吊り下げる構造である。通常、メモホルダの取り付け板の背面には、ゴム磁石が貼着されている。そこで、横長帯状板部の片側に、縦長のメモホルダ取り付け部が連続する形状の軟磁性金属板を用いる。図５に示す支持板７４を軟磁性金属で作製しておけば、それを９０度向きを変えることで転用できる。このようにすると、メモ受け背後のゴム磁石７８で支持板７４を横向きに保持し、メモホルダ８０を磁気的付着力で装着することにより、大きめのシートなども該メモホルダ８０で吊り下げ保持できる。つまり、一方のメモ類はメモスタンドで起立保持でき、他方のメモ類はメモホルダで吊り下げ保持できることになる。
【００３４】
このように支持板７４の片側にメモホルダ８０を装着し、それにメモ類を吊り下げる場合は、支持板７４に大きな回転モーメントが加わる。それに抗して支持板７４を保持するために、図６に示す例ではメモスタンド７０を２個、間隔をおいて並設している。勿論、金属球をより多く収容した大型のメモスタンドの場合には、１個で保持することも十分可能である。
【００３５】
本発明のメモスタンドは、主にパソコンの液晶ディスプレイ装置上に載置して使用することを想定しているが、様々な表示方式のディスプレイ装置に対応できることは言うまでもない。また、別の使用状態となるが、後方バランサに連結部を巻き付けてメモ受けの後板部と板状延長部に接するように収めると、その状態で机の上などに安定に置くことができ、それによりメモスタンドを場所を問わず使用することも可能である。
【図面の簡単な説明】
【００３６】
【図１】本発明に係るメモスタンドの一実施例を示す説明図。
【図２】本発明に係るメモスタンドの他の実施例を示す説明図。
【図３】そのメモ受けの詳細説明図。
【図４】メモ受けの他の例を示す詳細説明図。
【図５】本発明に係るメモスタンドの応用例を示す説明図。
【図６】本発明に係るメモスタンドの他の応用例を示す説明図。
【符号の説明】
【００３７】
１０  メモスタンド
１２  液晶ディスプレイ装置
１４  メモ類
２０  メモ受け
２２  後方バランサ
２４  連結部
２６  メモ受け本体
３２  板状延長部
【図１】
2008279740.tif 000003
【図２】
2008279740.tif 000004
【図３】
2008279740.tif 000005
【図４】
2008279740.tif 000006
【図５】
2008279740.tif 000007
【図６】
2008279740.tif 000008